(57)【要約】      （修正有）【課題】より不都合の少ない新規な構成の組電池の提供。【解決手段】それぞれが電極部を有する複数の電池セルと、複数の電池セルのそれぞれの電極部と接触する接触面を有した板状に構成され接触面３１ａ〜３４ａに沿う方向に離れるとともに接触面３１ａ〜３４ａに沿う方向に互いに重なって配置された複数の端子部３１〜３４と、接触面３１ａ〜３４ａから接触面３１ａ〜３４ａと交差する方向に離れた部分を有して屈曲した状態で二つの端子部の間を渡る第一のブリッジ部３５、３７と、第一のブリッジ部３５、３７と交差した方向に延び接触面３１ａ〜３４ａから接触面３１ａ〜３４ａと交差する方向に離れた部分を有して屈曲した状態で二つの端子部の間または二つの第一のブリッジ部３５、３７の間を渡る第二のブリッジ部３６、３８と、を有する組電池。【選択図】図２
2016207584.tif 000002
【特許請求の範囲】
【請求項１】
それぞれが電極部を有した複数の電池セルと、
前記複数の電池セルのそれぞれの前記電極部と接触する接触面を有した板状に構成され前記接触面に沿う方向に離れるとともに前記接触面に沿う方向に互いに重なって配置された複数の端子部と、前記接触面から前記接触面と交差する方向に離れた部分を有して屈曲した状態で二つの前記端子部の間を渡る第一のブリッジ部と、前記第一のブリッジ部と交差した方向に延び前記接触面から前記接触面と交差する方向に離れた部分を有して屈曲した状態で二つの前記端子部の間または二つの前記第一のブリッジ部の間を渡る第二のブリッジ部と、を有した導電部材と、
を備えた、組電池。
【請求項２】
複数の電池セルのそれぞれの電極部と接触する接触面を有した板状に構成され、前記接触面に沿う方向に離れるとともに前記接触面に沿う方向に互いに重なって配置された複数の端子部と、
前記接触面から前記接触面と交差する方向に離れた部分を有して屈曲した状態で二つの前記端子部の間を渡る第一のブリッジ部と、
前記第一のブリッジ部と交差した方向に延び、前記接触面から前記接触面と交差する方向に離れた部分を有して屈曲した状態で二つの前記端子部の間または二つの前記第一のブリッジ部の間を渡る第二のブリッジ部と、
を備えた、導電部材。
【発明の詳細な説明】
【技術分野】
【０００１】
本発明の実施形態は、組電池および導電部材に関する。
【背景技術】
【０００２】
従来、複数の電池セルの電極部を接続するバスバーが設けられた組電池、が知られている。
【先行技術文献】
【特許文献】
【０００３】
【特許文献１】特開２０１１−０７１０９７号公報
【発明の概要】
【発明が解決しようとする課題】
【０００４】
この種の構造では、例えば、より不都合の少ない新規な構成の組電池および導電部材が得られれば、好ましい。
【課題を解決するための手段】
【０００５】
実施形態の組電池は、例えば、複数の電池セルと、導電部材と、を備える。複数の電池セルは、それぞれが電極部を有する。導電部材は、複数の電池セルのそれぞれの電極部と接触する接触面を有した板状に構成され接触面に沿う方向に離れるとともに接触面に沿う方向に互いに重なって配置された複数の端子部と、接触面から接触面と交差する方向に離れた部分を有して屈曲した状態で二つの端子部の間を渡る第一のブリッジ部と、第一のブリッジ部と交差した方向に延び接触面から接触面と交差する方向に離れた部分を有して屈曲した状態で二つの端子部の間または二つの第一のブリッジ部の間を渡る第二のブリッジ部と、を有する。
【図面の簡単な説明】
【０００６】
【図１】図１は、第１実施形態の組電池の例示的な斜視図である。
【図２】図２は、第１実施形態の組電池の導電部材の例示的な斜視図である。
【図３】図３は、図１のIII-III断面図である。
【図４】図４は、図１のIV-IV断面図である。
【図５】図５は、第２実施形態の組電池の例示的な斜視図である。
【図６】図６は、第２実施形態の組電池の導電部材の例示的な斜視図である。
【図７】図７は、図５のVII-VII断面図である。
【図８】図８は、図５のVIII-VIII断面図である。
【発明を実施するための形態】
【０００７】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【０００８】
また、以下に開示される複数の実施形態には、同様の構成要素が含まれる。よって、以下では、それら同様の構成要素には共通の符号が付与されるとともに、重複する説明が省略される。
【０００９】
＜第１実施形態＞
図１に示されるように、組電池１は、例えば、複数の電池セル２（単電池）と、導電部材３（バスバー）と、を備える。組電池１は、種々の装置や、機械、設備等に設置され、それら種々の装置や、機械、設備の電源として使用される。例えば、組電池１は、自動車や自転車（移動体）等の電源等、移動型の電源としても使用される他、例えば、ＰＯＳ（Point  Of  Sales）システム用の電源等、定置型の電源としても使用されうる。また、種々の装置等には、複数の、本実施形態で示される組電池１を、直列あるいは並列に接続したセットとして搭載することもできる。よって、組電池１は、電池モジュールや電池ユニット等とも称されうる。なお、組電池１に含まれる電池セル２および導電部材３の数や配置等は、本実施形態で開示されるものには限定されない。また、組電池１には、複数の電池セル２を収容する筐体や、導電部材３とは別の導電部材（バスバー）、電池セル２の電圧や温度を監視するための配線や、監視基板、電池制御のための制御基板等が含まれうる。
【００１０】
複数の電池セル２は、それぞれ、電極部１０と、筐体２０と、を有する。また、電極部１０は、正極端子２３および負極端子２４を有し、筐体２０は、複数の壁部２０ａ〜２０ｆを有する。図１に示されるように、本実施形態では、複数の壁部２０ａ〜２０ｆのうち少なくともいずれか一つの壁部（例えば、壁部２０ｅ）が、平面に沿った姿勢で使用されうる。なお、以下の詳細な説明では、便宜上、壁部２０ｅが平面に沿った姿勢を基準として方向を規定する。Ｘ方向は、電池セル２の厚さ方向、Ｙ方向は、電池セル２の幅方向、Ｚ方向は、電池セル２の高さ方向である。Ｘ方向、Ｙ方向、およびＺ方向は、互いに直交している。
【００１１】
電池セル２は、例えば、リチウムイオン二次電池等で構成されうる。なお、電池セル２は、ニッケル水素電池や、ニッケルカドミウム電池、鉛蓄電池等、他の二次電池であってもよい。リチウムイオン二次電池は、非水電解質二次電池の一種であり、電解質中のリチウムイオンが電気伝導を担う。正極材料としては、例えば、リチウムマンガン複合酸化物や、リチウムニッケル複合酸化物、リチウムコバルト複合酸化物、リチウムニッケルコバルト複合酸化物、リチウムマンガンコバルト複合酸化物、スピネル型リチウムマンガンニッケル複合酸化物、オリビン構造を有するリチウムリン酸化物等が用いられ、負極材料としては、例えば、チタン酸リチウム（ＬＴＯ）等の酸化物系材料や、ニオブ複合酸化物等の酸化物材料等が用いられる。また、電解質（例えば、電解液）としては、フッ素系錯塩（例えばＬｉＢＦ４、ＬｉＰＦ６）等のリチウム塩が配合された、例えば、炭酸エチレンや、炭酸プロピレン、炭酸ジエチル、炭酸エチルメチル、炭酸ジメチル等の有機溶媒等が単独であるいは複数混合されて用いられる。
【００１２】
図１に示されるように、電池セル２の筐体２０は、Ｘ方向に薄い扁平な直方体状に構成されている。筐体２０は、Ｘ方向の視線では、四つの端部２０ｇ〜２０ｊ（辺部、縁部）を有している。また、筐体２０は、複数の壁部２０ａ〜２０ｆを有する。壁部２０ａおよび壁部２０ｃは、いずれも、Ｘ方向と交差（直交）する方向（Ｙ方向およびＺ方向）に沿っており、Ｘ方向に間隔をあけて互いに平行に設けられている。また、壁部２０ｂおよび壁部２０ｄは、いずれも、Ｙ方向と交差（直交）する方向（Ｘ方向およびＺ方向）に沿っており、Ｙ方向に間隔をあけて互いに平行に設けられている。壁部２０ａ〜２０ｄは、側壁部等と称されうる。また、壁部２０ａ，２０ｃは、側壁部のうちの長辺部の一例であり、壁部２０ｂ，２０ｄは、側壁部のうちの短辺部の一例である。また、壁部２０ｅおよび壁部２０ｆは、いずれも、Ｚ方向と交差（直交）する方向（Ｘ方向およびＹ方向）に沿っており、Ｚ方向に間隔をあけて互いに平行に設けられている。壁部２０ｅは、下壁部や、底壁部等と称され、壁部２０ｆは、上壁部や、天壁部等と称されうる。
【００１３】
また、筐体２０は、複数の部品（分割体）が組み合わせられて構成されている。具体的には、筐体２０は、例えば、第一筐体部材２１（ケース、下ケース）と、第二筐体部材２２（蓋、カバー、覆部、上ケース）と、を有する。第一筐体部材２１は、少なくとも壁部２０ａ〜２０ｅを有し、第二筐体部材２２は、少なくとも壁部２０ｆを有する。第一筐体部材２１は、一端側（上端側）が開放された直方体状の箱型に構成されている。第一筐体部材２１の内部には、例えば、電極体や、電解液等が収容されている。電極体は、例えば、正極シートと、負極シートと、絶縁層（セパレータ）と、を有する。電極体は、正極シート、負極シート、および絶縁層が巻回されて（折り畳まれて）、扁平形状に構成されうる。電極体は、電極群であって発電要素として機能する。なお、図３，４では、便宜上、電極体等の電池セル２の内部構造は図示省略されている。
【００１４】
図１に示されるように、第二筐体部材２２は、Ｙ方向に長い長方形状の板状に構成されている。第二筐体部材２２は、第一筐体部材２１の開放された部分を塞ぎ、第一筐体部材２１と一体化される。第二筐体部材２２は、蓋部材とも称されうる。なお、第一筐体部材２１と第二筐体部材２２とは、例えば、溶接などによって気密および液密に結合されうる。第一筐体部材２１および第二筐体部材２２は、例えば、金属材料や、合成樹脂材料等で構成されている。
【００１５】
また、第二筐体部材２２の壁部２０ｆには、正極端子２３と、負極端子２４と、弁部２５とが設けられている。図１に示されるように、本実施形態では、負極端子２４は、壁部２０ｆのＹ方向の一方側（図１の左側）に位置され、正極端子２３は、壁部２０ｆのＹ方向の他方側（図１の右側）に位置されている。正極端子２３は、壁部２０ｆをＺ方向に貫通した状態で設けられ、筐体２０内で電極体の正極シートと電気的に接続されている。また、負極端子２４は、壁部２０ｆをＺ方向に貫通した状態で設けられ、筐体２０内で電極体の負極シートと電気的に接続されている。図４に示されるように、正極端子２３の面２３ａ（露出面、接続面、天面）、および負極端子２４の面２４ａ（露出面、接続面、天面）は、壁部２０ｆの外面２０ｆ１よりもＺ方向の一方側（上側）に位置されている（突出している）。面２３ａ，２４ａと外面２０ｆ１とは、略平行である。また、面２３ａと面２４ａとは、略面一である。正極端子２３および負極端子２４は、導電性材料によって構成されうる。
【００１６】
また、図１に示されるように、弁部２５は、Ｙ方向に互いに離間して位置された正極端子２３および負極端子２４の間に設けられている。弁部２５は、電池セル２内の圧力が閾値よりも高くなった場合に開放され、当該電池セル２内の圧力を低下させる。
【００１７】
また、本実施形態では、例えば、壁部２０ｆには、Ｚ方向の一方側（上側、導電部材３側）に向けて突出した突出部２６，２７が設けられている。図４に示されるように、突出部２６は、負極端子２４のＹ方向の一方側（図４の左側）に位置され、突出部２７は、正極端子２３のＹ方向の一方側（図４の左側）に位置されている。本実施形態では、突出部２７の突出量（Ｚ方向の高さ）は、突出部２６の突出量（Ｚ方向の高さ）よりも小さい（低い）。具体的には、突出部２７の先端部は、正極端子２３の面２３ａよりもＺ方向の他方側（下側、壁部２０ｆ側）に位置され、突出部２６の先端部は、負極端子２４の面２４ａよりもＺ方向の一方側（上側）に位置されている。
【００１８】
図１に示されるように、複数の電池セル２は、それぞれの壁部２０ｆ（第二筐体部材２２）が同じ方向（図１の上方向）を向いた姿勢で、Ｘ方向およびＹ方向に沿って並べられている。また、複数の電池セル２は、例えば、それぞれの壁部２０ｂについても同じ方向（図１の左方向）を向いている。よって、複数の電池セル２は、それぞれの負極端子２４がＹ方向の一方側（図１の左側）に位置され、それぞれの正極端子２３がＹ方向の他方側（図１の右側）に位置される。
【００１９】
そして、本実施形態では、Ｘ方向およびＹ方向に隣接する四つの電池セル２の電極部１０が、導電部材３を介して互いに電気的に接続されている。具体的には、本実施形態では、例えば、導電部材３によって、Ｙ方向に隣接する二つの電池セル２の一方の正極端子２３と他方の負極端子２４とが直列に接続され、Ｘ方向に隣接する二組の電池セル２の一方の正極端子２３（負極端子２４）と他方の正極端子２３（負極端子２４）とが並列に接続されている。
【００２０】
図２に示されるように、導電部材３（バスバー）は、例えば、複数の端子部３１〜３４と、複数のブリッジ部３５〜３８と、を有する。端子部３１〜３４は、壁部等とも称され、ブリッジ部３５〜３８は、亘部や、接続部、屈曲部等とも称されうる。導電部材３は、例えば、一枚の板状（帯状、短冊状）の部材が、四箇所（ブリッジ部３５〜３８）で屈曲されてクランク状に構成されている。
【００２１】
図２に示されるように、端子部３１〜３４は、それぞれが四角形状の板状（帯状）に構成されている。端子部３１〜３４は、いずれも、Ｚ方向と交差（直交）する方向（Ｘ方向およびＹ方向）に沿っており、Ｘ方向およびＹ方向に間隔をあけて互いに平行に設けられている。また、端子部３１〜３４は、それぞれが電極部１０と接触する面３１ａ〜３４ａ（接触面、下面）を有する。図３，４に示されるように、面３１ａ〜３４ａは、壁部２０ｆの外面２０ｆ１、および電極部１０（正極端子２３および負極端子２４）の面２３ａ，２４ａと略平行である。また、面３１ａ〜３４ａは、互いに略面一である。
【００２２】
また、端子部３１〜３４には、それぞれの端子部３１〜３４をＺ方向に沿って貫通した開口部３１ｒ〜３４ｒが設けられている。図２に示されるように、開口部３１ｒ〜３４ｒは、それぞれの端子部３１〜３４の略中心部に位置されている。また、開口部３１ｒ〜３４ｒは、開口部３１ｒ１〜３４ｒ１と、開口部３１ｒ２〜３４ｒ２と、を含む。開口部３１ｒ２〜３４ｒ２は、端子部３１〜３４の面３１ａ〜３４ａ側に設けられ、Ｚ方向の他方側（下側、電極部１０側）に向けて開口された凹部として構成されている。また、開口部３１ｒ１〜３４ｒ１は、端子部３１〜３４の面３１ａ〜３４ａとは反対の面３１ｂ〜３４ｂ（上面、天面）側に設けられ、Ｚ方向の一方側（上側）に向けて開口された凹部として構成されている。図２〜４に示されるように、本実施形態では、開口部３１ｒ２〜３４ｒ２の開口幅（直径）は、開口部３１ｒ１〜３４ｒ１の開口幅（直径）よりも小さく構成され、開口部３１ｒ１〜３４ｒ１と開口部３１ｒ２〜３４ｒ２とがＺ方向に沿って連通している。本実施形態では、例えば、開口部３１ｒ２〜３４ｒ２の縁部（内面）と電極部１０（正極端子２３および負極端子２４）の面２３ａ，２４ａとが、溶接等によって互いに結合される。これにより、電極部１０と導電部材３とが、機械的に接続（固定）されるとともに、電気的に接続されている。
【００２３】
また、端子部３１〜３４には、それぞれの開口部３１ｒ〜３４ｒを間にしてＹ方向の両側に開口部３１ｓ〜３４ｓが設けられている。開口部３１ｓ〜３４ｓは、例えば、それぞれの端子部３１〜３４をＺ方向に沿って貫通した貫通孔として構成されている。図４に示されるように、本実施形態では、開口部３１ｓ〜３４ｓの開口幅（直径）は、突出部２６，２７の幅（直径）よりも僅かに大きく構成されている。そして、本実施形態では、例えば、複数の開口部３１ｓ〜３４ｓのペアのうちＹ方向の一方側（図４の左側）の開口部３１ｓ，３４ｓに突出部２６が挿入されることにより、導電部材３が電極部１０に対してＸ方向およびＹ方向に位置決めされうる。よって、本実施形態によれば、例えば、開口部３１ｓ，３４ｓと突出部２６との位置決めによって、導電部材３と電極部１０とを溶接する作業が、より容易に、より円滑に、あるいはより精度よく行われやすい。なお、本実施形態では、上述した導電部材３の位置決め時に、複数の開口部３１ｓ〜３４ｓのペアのうちＹ方向の一方側（図４の左側）の開口部３２ｓ，３３ｓを通じて当該開口部３２ｓ，３３ｓと突出部２７とを位置合わせすることにより、導電部材３がより迅速に、あるいはより精度よく正しい位置に位置合わせされうる。
【００２４】
図２〜４に示されるように、ブリッジ部３５〜３８は、例えば、二つの第一の壁部３５ａ〜３８ａや、一つの第二の壁部３５ｂ〜３８ｂ、二箇所の第一の屈曲部３５ｃ〜３８ｃ、二箇所の第二の屈曲部３５ｄ〜３８ｄ等をそれぞれ有する。二つの第一の壁部３５ａ〜３８ａ（立壁部、縦壁部）は、それぞれ端子部３１〜３４に第一の屈曲部３５ｃ〜３８ｃを介して接続されている。第一の壁部３５ａ〜３８ａは、端子部３１〜３４（面３１ａ〜３４ａ）と交差する方向に延びている（起立している）。第二の壁部３５ｂ〜３８ｂ（横壁部）は、端子部３１〜３４とＺ方向に離れた位置で、二つの第一の壁部３５ａ〜３８ａの間に亘って設けられている。第二の壁部３５ｂ〜３８ｂは、二箇所の第二の屈曲部３５ｄ〜３８ｄを介して、二つの第一の壁部３５ａ〜３８ａに接続されている。第二の壁部３５ｂ〜３８ｂは、端子部３１〜３４と略平行に設けられている。
【００２５】
図２に示されるように、本実施形態では、ブリッジ部３５は、複数の端子部３１〜３４のうちＹ方向に離間して位置された端子部３１と端子部３２との間に渡って設けられ、ブリッジ部３７は、端子部３３と端子部３４との間に渡って設けられている。図４に示されるように、ブリッジ部３５，３７のＹＺ平面に沿った断面は、Ｚ方向の他方側（下側、電極部１０側）に向けて開放された略Ｕ字状に構成されている。本実施形態によれば、導電部材３にブリッジ部３５，３７が設けられているため、例えば、組電池１にＹ方向に沿った衝撃や振動等の外力が入力された場合、あるいは導電部材３がＹ方向に沿って熱変形した場合等に、ブリッジ部３５，３７の第一の屈曲部３５ｃ，３７ｃや、第二の屈曲部３５ｄ，３７ｄ等に応力が集中しやすくなる。よって、例えば、導電部材３にブリッジ部３５，３７が設けられていない場合と比べて、第一の屈曲部３５ｃ，３７ｃおよび第二の屈曲部３５ｄ，３７ｄ以外の場所での応力の集中が緩和されやすく、局所的な応力がより低減されやすい。本実施形態では、ブリッジ部３５，３７は、第一のブリッジ部の一例である。
【００２６】
また、図２に示されるように、本実施形態では、ブリッジ部３６は、複数の端子部３１〜３４のうちＸ方向に離間して位置された端子部３２と端子部３３との間に渡って設けられ、ブリッジ部３８は、端子部３１と端子部３４との間に渡って設けられている。すなわち、ブリッジ部３６，３８は、Ｙ方向に延びたブリッジ部３５，３７と交差する方向（Ｘ方向）に延びている。図３に示されるように、ブリッジ部３６，３８のＸＺ平面に沿った断面は、Ｚ方向の他方側（下側、電極部１０側）に向けて開放された略Ｕ字状に構成されている。本実施形態によれば、導電部材３にブリッジ部３６，３８が設けられているため、例えば、組電池１にＸ方向に沿った衝撃や振動等の外力が入力された場合、あるいは導電部材３がＸ方向に沿って熱変形した場合等に、ブリッジ部３６，３８の第一の屈曲部３６ｃ，３８ｃや、第二の屈曲部３６ｄ，３８ｄ等に応力が集中しやすくなる。よって、例えば、導電部材３にブリッジ部３６，３８が設けられていない場合と比べて、第一の屈曲部３６ｃ，３８ｃおよび第二の屈曲部３６ｄ，３８ｄ以外の場所での応力が緩和されやすく、局所的な応力がより低減されやすい。本実施形態では、ブリッジ部３６，３８は、第二のブリッジ部の一例である。
【００２７】
以上のように、本実施形態では、例えば、組電池１は、それぞれが電極部１０を有した複数の電池セル２と、複数の電池セル２のそれぞれの電極部１０と接触する面３１ａ〜３４ａ（接触面）を有した板状に構成され面３１ａ〜３４ａに沿う方向（Ｘ方向およびＹ方向）に離れるとともに面３１ａ〜３４ａに沿う方向に互いに重なって配置された複数の端子部３１〜３４と、面３１ａ〜３４ａから面３１ａ〜３４ａと交差する方向（Ｚ方向）に離れた部分（第二の壁部３５ｂ，３７ｂ）を有して屈曲した状態で二つの端子部としての端子部３１と端子部３２との間および端子部３３と端子部３４との間を渡るブリッジ部３５，３７（第一のブリッジ部）と、ブリッジ部３５，３７と交差した方向（Ｘ方向）に延び面３１ａ〜３４ａから面３１ａ〜３４ａと交差する方向（Ｚ方向）に離れた部分（第二の壁部３６ｂ，３８ｂ）を有して屈曲した状態で二つの端子部としての端子部３２と端子部３３との間および端子部３１と端子部３４との間を渡るブリッジ部３６，３８（第二のブリッジ部）と、を有する。よって、本実施形態によれば、例えば、ブリッジ部３５〜３８によって、面３１ａ〜３４ａに沿った二方向（Ｘ方向およびＹ方向）の外力あるいは熱変形に対応することができる。よって、例えば、導電部材に一方向に対応したブリッジ部が設けられた従来の構成と比べて、局所的な応力がより低減されやすい組電池１および導電部材３が得られやすい。また、例えば、従来の構成と比べて、ブリッジ部３５〜３８を有した導電部材３によって、組電池１の部品点数が減りやすいため、組電池１の製造に要する手間が減りやすいという利点もある。
【００２８】
なお、本実施形態では、電極部１０と端子部３１〜３４とが溶接によって結合された場合が例示されたが、これに限定されず、例えば、ねじ等の結合具によって互いに結合されてもよい。また、本実施形態では、導電部材３によって四つの電池セル２が電気的に接続された場合が例示されたが、これに限定されず、例えば、導電部材３によって三つあるいは五つ以上の電池セル２が電気的に接続されてもよい。この場合、端子部３１〜３４およびブリッジ部３５〜３８の数や、レイアウト等は、適宜に変更可能である。
【００２９】
＜第２実施形態＞
図５〜８に示される実施形態の組電池１Ａは、上記第１実施形態の組電池１と同様の構成を備えている。よって、本実施形態によっても、上記第１実施形態と同様の構成に基づく同様の結果（効果）が得られる。
【００３０】
ただし、本実施形態では、例えば、図６に示されるように、ブリッジ部３９（第二のブリッジ部）が、Ｘ方向に離間して位置されたブリッジ部３５（第一のブリッジ部）とブリッジ部３７（第一のブリッジ部）との間に渡って設けられている。図７に示されるように、ブリッジ部３９は、例えば、二つの第一の壁部３９ａや、一つの第二の壁部３９ｂ、二箇所の第一の屈曲部３９ｃ、二箇所の第二の屈曲部３９ｄ等を有する。二つの第一の壁部３９ａ（縦壁部）は、それぞれブリッジ部３５，３７の第二の壁部３５ｂ，３７ｂに第一の屈曲部３９ｃを介して接続されている。本実施形態では、第一の壁部３９ａは、第二の壁部３５ｂ，３７ｂからＺ方向の他方側（下側）に延びている。第二の壁部３９ｂ（横壁部）は、第二の壁部３５ｂ，３７ｂとＺ方向に離れた位置で、二つの第一の壁部３９ａの間に亘って設けられている。第二の壁部３９ｂは、二箇所の第二の屈曲部３９ｄを介して、二つの第一の壁部３９ａに接続されている。図７に示されるように、ブリッジ部３９のＸＺ平面に沿った断面は、Ｚ方向の一方側（上側）に向けて開放された略Ｕ字状に構成されている。よって、本実施形態によっても、例えば、ブリッジ部３５，３７，３９によって、面３１ａ〜３４ａに沿った二方向（Ｘ方向およびＹ方向）の外力あるいは熱変形に対応することができる。また、本実施形態では、ブリッジ部３９の第一の壁部３９ａが、第二の壁部３５ｂ，３７ｂからＺ方向の他方側（下側、電極部１０側）に延びているため、第一の壁部３９ａが第二の壁部３５ｂ，３７ｂからＺ方向の一方側（上側）に延びる場合と比べて、導電部材３Ａ、ひいては組電池１ＡがＺ方向により小型に構成されやすい場合がある。
【００３１】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、特許請求の範囲に記載された発明とその均等の範囲に含まれる。本発明は、上記実施形態に開示される構成以外によっても実現可能であるとともに、基本的な構成（技術的特徴）によって得られる種々の効果（派生的な効果も含む）を得ることが可能である。また、各構成要素のスペック（構造や、種類、方向、形状、大きさ、長さ、幅、厚さ、高さ、数、配置、位置、材質等）は、適宜に変更して実施することができる。
【符号の説明】
【００３２】
１，１Ａ…組電池、２…電池セル、３，３Ａ…導電部材、１０…電極部、３１〜３４…端子部、３１ａ〜３４ａ…面（接触面）、３５，３７…ブリッジ部（第一のブリッジ部）、３６，３８，３９…ブリッジ部（第二のブリッジ部）、Ｘ…接触面に沿う方向、Ｙ…接触面に沿う方向、Ｚ…接触面と交差する方向。
【図１】
2016207584.tif 000003
【図２】
2016207584.tif 000004
【図３】
2016207584.tif 000005
【図４】
2016207584.tif 000006
【図５】
2016207584.tif 000007
【図６】
2016207584.tif 000008
【図７】
2016207584.tif 000009
【図８】
2016207584.tif 000010